(57)【要約】【課題】  点滴等の特定の時間を必要とする場合に、簡易な操作で時間設定ができ、設定時間が経過したら直接看護師に通知するナースコールシステムを提供する。【解決手段】  プレート子機１ｂに看護師が携行する携帯端末から送信される看護師ＩＤを受信する看護師ＩＤ受信部１５と、点滴等の処置が行われた場合に看護師が処置の状態を確認する時間を設定する時間設定部１４と、時間設定部１４で設定された時間を計時するタイマ１８と、タイマ１８のカウントアップを受けて制御機に子機ＩＤ情報及び受信した看護師ＩＤ情報を添付したカウントアップ情報を送信する子機ＣＰＵ２０とを設け、制御機に看護師ＩＤと携帯端末との関連付けを記憶する通知先情報記憶部を設け、制御機はカウントアップ情報を受信したら関連する携帯端末にカウントアップ情報を通知する。【選択図】  図２
2012110586.tif 000002
【特許請求の範囲】
【請求項１】
患者が看護師を呼び出すためのハンド子機及び前記ハンド子機が接続されるプレート子機を備えて病室のベッド毎に設置されるナースコール子機と、前記ナースコール子機からの呼び出しに看護師が応答するためにナースステーションに設置されたナースコール親機と、前記ナースコール子機からの呼び出しを廊下において看護師に通知するための廊下灯と、前記ナースコール子機からの呼び出しを直接看護師に通知するために看護師が携行する複数の携帯端末と、前記携帯端末と通信する交換機及び基地局と、前記ナースコール親機、前記廊下灯、前記交換機が接続されて接続機器間の通信を制御する制御機とを有するナースコールシステムであって、
前記プレート子機が、前記ナースコール子機を特定するための子機ＩＤを記憶するＩＤ記憶部と、点滴等の処置が行われた場合に看護師が処置の状態を確認する時間を設定する時間設定部と、前記時間設定部で設定された時間を計時するタイマと、前記タイマのカウントアップを受けて、前記制御機に子機ＩＤ情報を添付したカウントアップ情報を送信する送信制御部とを有する一方、
前記制御機が、前記ナースコール子機と前記携帯端末との関連付けを記憶する通知先情報記憶部を有し、前記カウントアップ情報を受信したら受信した子機ＩＤ情報を基に前記通知先情報記憶部から通知する携帯端末を読み出し、前記交換機及び前記基地局を介して該当する少なくとも１台の携帯端末に前記カウントアップ情報を通知することを特徴とするナースコールシステム。
【請求項２】
患者が看護師の呼出操作をするハンド子機及び前記ハンド子機が接続されるプレート子機を備えて病室のベッド毎に設置されるナースコール子機と、前記ナースコール子機からの呼び出しに看護師が応答するためにナースステーションに設置されたナースコール親機と、前記ナースコール子機からの呼び出しを廊下において看護師に通知するための廊下灯と、前記ナースコール子機からの呼び出しを直接看護師に通知するために看護師が携行する複数の携帯端末と、前記携帯端末と通信する交換機及び基地局と、前記ナースコール親機、前記廊下灯、前記交換機が接続されて接続機器間の通信を制御する制御機とを有するナースコールシステムであって、
前記プレート子機が、前記ナースコール子機を特定するための子機ＩＤを記憶するＩＤ記憶部と、看護師が携行する看護師ＩＤ発信手段から送信される看護師ＩＤを受信する看護師ＩＤ受信部と、点滴等の処置が行われた場合に看護師が処置の状態を確認する時間を設定する時間設定部と、前記時間設定部で設定された時間を計時するタイマと、前記タイマのカウントアップを受けて、前記制御機に子機ＩＤ情報及び受信した看護師ＩＤ情報を添付したカウントアップ情報を送信する送信制御部とを有する一方、
前記制御機は、前記看護師ＩＤと携帯端末との関連付けを記憶する通知先情報記憶部を有し、前記カウントアップ情報を受信したら受信した看護師ＩＤ情報を基に前記通知先情報記憶部から通知する携帯端末を読み出し、前記交換機及び前記基地局を介して該当する携帯端末に前記カウントアップ情報を通知することを特徴とするナースコールシステム。
【請求項３】
前記時間設定部は、前記看護師ＩＤ受信部が看護師ＩＤを受信しなければ設定動作しないことを特徴とする請求項２記載のナースコールシステム。
【請求項４】
前記プレート子機は、前記タイマ操作に関連する患者への処置が完了したことを前記制御機に通知するための完了操作部を有し、
前記制御機は、前記完了操作部の操作を受けて関連する通知制御をリセットすることを特徴とする請求項１乃至３の何れかに記載のナースコールシステム。
【請求項５】
前記制御機は、前記カウントアップ情報を受信してから所定時間経過しても前記完了操作部が操作されなければ、他の携帯端末に前記カウントアップ情報を通知することを特徴とする請求項４記載のナースコールシステム。
【発明の詳細な説明】
【技術分野】
【０００１】
本発明はナースコールシステムに係り、特に点滴等の処置のように一定の時間をかけて処置を行う場合、終了時刻になったら看護師へそれを通知する機能を備えたナースコールシステムに関する。
【背景技術】
【０００２】
点滴終了を通知する機能を備えた従来のナースコールシステムとしては、例えば特許文献１に開示された構成のものがある。この特許文献１では、廊下灯に点滴時間を設定する設定部、計時するタイマを設け、点滴時間が満了したら報知音を鳴動し、ナースコール親機へも通知して音声等で報知させる構成となっている。
【先行技術文献】
【特許文献】
【０００３】
【特許文献１】特開２００６−１０４６９１号公報
【発明の概要】
【発明が解決しようとする課題】
【０００４】
上記従来のナースコールシステムは、廊下灯やナースコール親機において点滴の残り時間や終了時刻になったらそれを通知するので、看護師は病室の中まで入っていって点滴の進み具合や終了を確認する必要がなく便利であった。
しかしながら、廊下灯でタイマ設定するため、単に時間設定を行うだけでなく病室の複数の患者から患者を特定する操作等が必要であり、タイマ設定をする患者を間違える可能性があったし入力操作が面倒であった。また、点滴終了の通知は、廊下灯以外にナースコール親機でも行われるが、看護師は他の患者の処置等でナースステーションにいない場合が多く、点滴終了の通知を認識できない場合があった。
【０００５】
そこで、本発明はこのような問題点に鑑み、点滴等の特定の時間を必要とする場合に、簡易な操作で時間設定ができ、設定時間が経過したら直接看護師に通知するナースコールシステムを提供することを目的としている。
【課題を解決するための手段】
【０００６】
上記課題を解決する為に、請求項１の発明は、患者が看護師を呼び出すためのハンド子機及びハンド子機が接続されるプレート子機を備えて病室のベッド毎に設置されるナースコール子機と、ナースコール子機からの呼び出しに看護師が応答するためにナースステーションに設置されたナースコール親機と、ナースコール子機からの呼び出しを廊下において看護師に通知するための廊下灯と、ナースコール子機からの呼び出しを直接看護師に通知するために看護師が携行する複数の携帯端末と、携帯端末と通信する交換機及び基地局と、ナースコール親機、廊下灯、交換機が接続されて接続機器間の通信を制御する制御機とを有するナースコールシステムであって、プレート子機が、ナースコール子機を特定するための子機ＩＤを記憶するＩＤ記憶部と、点滴等の処置が行われた場合に看護師が処置の状態を確認する時間を設定する時間設定部と、時間設定部で設定された時間を計時するタイマと、タイマのカウントアップを受けて、制御機に子機ＩＤ情報を添付したカウントアップ情報を送信する送信制御部とを有する一方、制御機が、ナースコール子機と携帯端末との関連付けを記憶する通知先情報記憶部を有し、カウントアップ情報を受信したら受信した子機ＩＤ情報を基に通知先情報記憶部から通知する携帯端末を読み出し、交換機及び基地局を介して該当する少なくとも１台の携帯端末にカウントアップ情報を通知することを特徴とする。
この構成によれば、プレート子機に時間設定する簡単な操作で、設定時間が経過したら看護師の携帯端末に設定時間終了の連絡が成される。よって、看護師は点滴終了時間等を気にしながら他の看護業務を行う必要がなくなり、患者と看護師の双方にとって安心して点滴等の処置を行うことができる。また、担当看護師等に直接通知することができるので、処置をスムーズに行うことができる。
【０００７】
請求項２の発明は、患者が看護師の呼出操作をするハンド子機及びハンド子機が接続されるプレート子機を備えて病室のベッド毎に設置されるナースコール子機と、ナースコール子機からの呼び出しに看護師が応答するためにナースステーションに設置されたナースコール親機と、ナースコール子機からの呼び出しを廊下において看護師に通知するための廊下灯と、ナースコール子機からの呼び出しを直接看護師に通知するために看護師が携行する複数の携帯端末と、携帯端末と通信する交換機及び基地局と、ナースコール親機、廊下灯、交換機が接続されて接続機器間の通信を制御する制御機とを有するナースコールシステムであって、プレート子機が、ナースコール子機を特定するための子機ＩＤを記憶するＩＤ記憶部と、看護師が携行する看護師ＩＤ発信手段から送信される看護師ＩＤを受信する看護師ＩＤ受信部と、点滴等の処置が行われた場合に看護師が処置の状態を確認する時間を設定する時間設定部と、時間設定部で設定された時間を計時するタイマと、タイマのカウントアップを受けて、制御機に子機ＩＤ情報及び受信した看護師ＩＤ情報を添付したカウントアップ情報を送信する送信制御部とを有する一方、制御機は、看護師ＩＤと携帯端末との関連付けを記憶する通知先情報記憶部を有し、カウントアップ情報を受信したら受信した看護師ＩＤ情報を基に通知先情報記憶部から通知する携帯端末を読み出し、交換機及び基地局を介して該当する携帯端末にカウントアップ情報を通知することを特徴とする。
この構成によれば、プレート子機に時間設定する簡単な操作で、設定時間が経過したら看護師に設定時間終了の連絡が成される。よって、看護師は点滴終了時間等を気にしながら他の看護業務を行う必要がなくなり、患者と看護師の双方にとって安心して点滴等の処置を行うことができる。また、プレート子機に処置をした看護師のＩＤ情報を読み取らせることで、時間設定した看護師本人に直接通知することができ、処置をスムーズに行うことができる。
【０００８】
請求項３の発明は、請求項２に記載の構成において、時間設定部は、看護師ＩＤ受信部が看護師ＩＤを受信しなければ設定動作しないことを特徴とする。
この構成によれば、看護師ＩＤが確認された段階で時間設定が可能となるので、患者の誤操作で停止したり変更されることがなく、誤動作を防ぐことができる。また、看護師は自身のＩＤの入力を忘れることがない。
【０００９】
請求項４の発明は、請求項１乃至３の何れかに記載の構成において、プレート子機は、タイマ操作に関連する患者への処置が完了したことを制御機に通知するための完了操作部を有し、制御機は、完了操作部の操作を受けて関連する通知制御をリセットすることを特徴とする。
この構成によれば、完了操作部が操作されることで、制御機はカウントアップ情報を受けて行っている通知制御を終了する。よって、処置が完了したにも関わらずカウントアップ情報を引き続き通知するような事態が発生しないし、他の看護師は処置が終了したことを認識できる。
【００１０】
請求項５の発明は、請求項４に記載の構成において、制御機は、カウントアップ情報を受信してから所定時間経過しても完了操作部が操作されなければ、他の携帯端末にカウントアップ情報を通知することを特徴とする。
この構成によれば、タイマがカウントアップしても担当看護師が応対しない場合には、他の看護師に通知されるため、処置の遅滞を防ぐことができる。
【発明の効果】
【００１１】
本発明によれば、プレート子機に時間設定する簡単な操作で、設定時間が経過したら看護師の携帯端末に設定時間終了の連絡が成されるので、看護師は点滴終了時間等を気にしながら他の看護業務を行う必要がなくなり、患者と看護師の双方にとって安心して点滴等の処置を行うことができる。また、担当看護師等に直接通知することができるので、処置をスムーズに行うことができる。
更に、プレート子機に処置をした看護師を認識させる構成とすれば、時間設定した看護師本人に直接通知することができ、処置をスムーズに行うことができる。
【図面の簡単な説明】
【００１２】
【図１】本発明に係るナースコールシステムの一例を示す構成図である。
【図２】プレート子機の回路ブロック図である。
【発明を実施するための形態】
【００１３】
以下、本発明を具体化した実施の形態を、図面に基づいて詳細に説明する。図１は、本発明に係るナースコールシステムの一例を示す構成図であり、１は患者が看護師を呼び出すためにベッド毎に設置されたナースコール子機、２はナースコール子機１からの呼び出しに応答するためにナースステーションに設置されたナースコール親機、３はナースコール子機１からの呼び出しを廊下において看護師に通知するための廊下灯、４は交換機５及び基地局６を介してナースコール子機１からの呼び出しを直接看護師に通知するために個々の看護師が携行する携帯端末、７はナースコール親機２、廊下灯３、交換機５が接続されて機器間の通信を制御するための制御機である。
【００１４】
ナースコール子機１は、呼出操作するハンド子機１ａと壁面に設置されるプレート子機１ｂとで構成され、プレート子機１ｂは伝送線Ｌ１を介して病室毎に廊下灯３に接続されている。廊下灯３は、病室毎に設置されて廊下灯幹線Ｌ２により制御機７に接続されている。また、ナースコール親機２、交換機５は夫々伝送線Ｌ３，Ｌ４により制御機７に接続され、基地局６は病棟内に適宜間隔で設置され伝送線Ｌ５により交換機５に接続されている。
【００１５】
図２はプレート子機１ｂの回路ブロック図を示している。図２に示すように、プレート子機１ｂは、患者が看護師と通話するためのマイク１１及びスピーカ１２が接続された通話回路１３、点滴等の確認のために看護師が再び患者の元へ来るまでの時間を設定する時間設定部１４、看護師が携行する携帯端末４から発信されるＩＤ情報を受信するための看護師ＩＤ受信部１５、設定された時間を表示する表示部１６、プレート子機１ｂ自身のＩＤ（ベッド番号）や、受信した看護師ＩＤを記憶するＩＤ記憶部１７、時間設定部１４で設定された時間をカウントするタイマ１８、点滴等の処置が終了したことを通知するための完了操作部１９、プレート子機１ｂ全体を制御する子機ＣＰＵ２０、ハンド子機１ａと通信するハンド子機用ＩＦ２１、廊下灯３と通信する廊下灯用ＩＦ２２等を備えている。
【００１６】
ナースコール親機２は、患者からの呼び出しに応答するための通話部２５と、患者情報をはじめ各種情報を表示するためのディスプレイ２６ａを備えたパーソナルコンピュータから成るＰＣ親機２６とを備えている。
【００１７】
廊下灯３は、病室の患者情報を表示する患者情報表示部３１、患者からの呼び出しが成されたら点灯して報知する呼出報知部３２等を備えている。
【００１８】
携帯端末４は、例えばＰＨＳにより基地局６、交換機５を介して他の携帯端末４の呼び出し／通話が可能であり、ナースコール子機１やナースコール親機２とも通話することが可能に構成されている。また、ＩＤ発信のための専用のＩＣチップ（例えばＦｅｌｉｃａ（登録商標）チップ）で構成されるＩＤ発信部（図示せず）を内蔵している。
【００１９】
制御機７は、ナースコール子機ＩＤ（ベッド番号）と患者氏名とを関連付けた子機・患者情報、患者氏名と看護師（看護師ＩＤ）とを関連付けた患者・看護師情報、看護師と携帯端末６とを関連付けた看護師・携帯端末情報、複数の看護師により構成される看護師チーム情報等を記憶した通知先情報記憶部７ａを備え、ナースコール親機２、廊下灯３、交換機５の間の通信を制御する。
【００２０】
このように構成されたナースコールシステムの動作を次に説明する。尚、患者がナースコール子機1を操作して看護師を呼び出して通話をおこなう動作については従来と同様であるため説明を省略し、ここでは点滴等の処置をした場合の設定及び動作について説明する。
患者の点滴等の特定の時間を要する処置をする際、途中経過や終了の確認のために患者の元へ来る時間を設定することができ、この時間設定を受けて設定時間が経過したら看護師に時間経過が通知される。ここでは点滴を行った場合について説明する。
【００２１】
具体的に、看護師はまず携行する携帯端末４を処置を受ける患者が使用するナースコール子機１のプレート子機１ｂに翳し、携帯端末４のＩＤ発信部から看護師ＩＤ情報を送信する。プレート子機１ｂの看護師ＩＤ受信部１５は、翳された携帯端末４から看護師ＩＤを読み取ったら、子機ＣＰＵ２０が廊下灯用ＩＦ２２から廊下灯３を介して制御機７に読み取った看護師ＩＤ情報を送信する。
制御機７は、受信した看護師ＩＤ情報が現在勤務している看護師であるかどうか通知先情報記憶部７ａに記憶されている看護師ＩＤ情報と比較判断し、勤務している看護師ＩＤであると認識すると、逆の経路をたどってナースコール子機１に確認完了の通知がなされる。この確認通知を受けた子機ＣＰＵ２０は、読み取った看護師ＩＤをＩＤ記憶部１７に記憶し、時間設定を促す表示を表示部１６に行い、時間設定部１４の入力を許可する。
【００２２】
この表示を確認した看護師により、点滴の量に応じて割り出した点滴終了時間を時間設定部１４を操作して入力する。入力は、テンキー等での入力、若しくは予め１０分刻み等の入力部を操作することで行われる。尚、看護師ＩＤ受信部１５が読み取った看護師ＩＤが、制御機７において確認されなければ、或いはＩＤ自体を読み取ることができなければ、子機ＣＰＵ２０は時間設定入力を許可しない。
【００２３】
設定の経過や結果は表示部１６に表示され、適正に時間設定が完了したことを視覚的に認識できる。設定が完了したら、所定のカウント開始操作により子機ＣＰＵ２０の制御でタイマ１８のカウントが開始される。こうして時間が経過してタイマ１８がカウントアップすると、子機ＣＰＵ２０はＩＤ記憶部１７に記憶されている子機ＩＤ情報と、最初に検出した看護師ＩＤ情報とを添付したカウントアップ信号を制御機７に送信する。
【００２４】
カウントアップ信号を受信した制御機７は、添付されている看護師ＩＤ情報から関連する携帯端末番号を通知先情報記憶部７ａから読み取り、該当する携帯端末４を呼び出して通知信号を送信する。制御機７から通知信号を受信した交換機５は、基地局６を介して該当する携帯端末４を呼び出して通知信号を送信する。
【００２５】
通知信号を受信した携帯端末４は、音と表示で報知動作する。例えば、受信音を鳴動すると共にカウントアップ信号送信元のベッド番号が表示され、更に点滴終了の時間である旨を知らせる文字情報やアイコンが表示される。
この通知音及び表示により点滴終了時間が来たことを認識した看護師が、患者の病室に行き点滴の終了処置等必要な処置を行ったら、処置が完了したことを通知するためにプレート子機１ｂの完了操作部１９を操作する。この操作を受けて、子機ＣＰＵ２０が完了通知信号を出力し、廊下灯３を経由して制御機７に送信される。
【００２６】
完了信号を受信した制御機７は、カウントアップ情報を受けたことによる通知制御を終了する。但し、タイマ１８がカウントアップしたことを検出してから、例えば３分等の所定時間が経過しても制御機７が完了通知信号を受けなかったら、看護師が他の処置で手が離せない状況であると認識し、他の携帯端末４に通知する。個々の看護師は夫々複数の看護師で構成されるチームに属しており、完了通知信号を受けない場合、通知先情報記憶部７ａからこのチームに属する複数の携帯端末４，４，・・が読み出され、順次或いは一斉に通知される。
【００２７】
このように、プレート子機１ｂに看護師ＩＤを読み取らせた後、時間設定する簡単な操作で、設定された時間が経過したら看護師に設定時間終了の連絡が成されるので、患者が点滴終了等をナースコール子機を操作して知らせる必要がない。そのため、患者と看護師の双方にとって安心して点滴等の処置を行うことができる。また、時間設定した看護師本人に直接通知することができ、処置をスムーズに進めることができる。
また、看護師ＩＤが確認されることで時間設定が可能となるので、患者の誤操作で停止したり変更されることがなく、誤動作を防ぐことができるし、看護師により自身のＩＤ入力し忘れを防止できる。
更に、処置が終了したら完了操作部１９が操作されることで、制御機７はカウントアップ情報を受けて行っている通知制御を終了するので、処置が完了したにも関わらずカウントアップ情報を引き続き通知するような事態が発生しないし、他の看護師は処置が終了したことを認識できる。
また、タイマ１８がカウントアップしても担当看護師が応対しない場合には、他の看護師に通知されるため、処置の遅滞を防ぐことができる。
【００２８】
尚、上記実施形態では、看護師ＩＤを認証することで時間設定を可能としているが、ＩＤ認証を必要とせずに特殊操作、例えばボタン長押し等がなされた場合に時間設定を可能としてもよい。この場合、看護師ＩＤでの特定はなされないため、予め制御機７に設定されている子機ＩＤ情報（患者）に関連付けられた担当看護師若しくは看護師チームに対して通知することとなる。
また、携帯端末４にＩＤ発信機能を設けて、携帯端末４をプレート子機１ｂに翳してＩＤ情報を読み取らせているが、ＩＤ発信手段と携帯端末４は別体としても良く、別途ＩＣカード等でＩＤを読み取らせても良い。
さらに、通知先が携帯端末４の場合を説明したが、ナースコール親機２に対して合わせて通知してもよい。
【符号の説明】
【００２９】
１・・ナースコール子機、１ａ・・ハンド子機、１ｂ・・プレート子機、２・・ナースコール親機、３・・廊下灯、４・・携帯端末（看護師ＩＤ発信手段）、５・・交換機、６・・基地局、７・・制御機、７ａ・・通知先情報御記憶部、１４・・時間設定部、１５・・看護師ＩＤ受信部、１６・・表示部、１７・・ＩＤ記憶部（子機ＩＤ記憶部）、１８・・タイマ、１９・・完了操作部、２０・・子機ＣＰＵ（送信制御部）。
【図１】
2012110586.tif 000003
【図２】
2012110586.tif 000004